(57)【要約】      （修正有）【課題】ブースターが途中に設けられたループ伝送路で断線障害が発生しても全ての火災感知器による火災監視を可能とする受信機を提供する。【解決手段】受信機１０は、ループ伝送路１２が正常な場合は、伝送部２２から火災感知器１８に通信接続して火災を監視し、ループ伝送路１２で断線障害が発生した場合は、断線監視制御部２８が切替回路部３０ａ，３０ｂをオンしてループ伝送路１２の終端を伝送部２２に接続し、ループ伝送路１２の両端から火災感知器１８に通信接続して火災を監視する。ループ伝送路１２の途中には入出力切替型ブースター１６が挿入接続され、始端側伝送路１２ａに断線が発生して切替回路部３０ａ，３０ｂがオンすると、終端側伝送路１２ｂから入力した下り信号を増幅して始端側伝送路１２ａに出力すると共に始端側伝送路１２ａから入力した上り信号を増幅して終端側伝送路１２ｂに出力するように入出力を切り替える。【選択図】図１
2019106023.tif 000002
【特許請求の範囲】
【請求項１】
受信機又は受信機に接続された中継器に対しループ状に接続されたループ伝送路に固有のアドレスを設定した火災感知器を接続し、前記ループ伝送路が正常な場合は、前記ループ伝送路の始端に接続された前記受信機の伝送部から前記火災感知器に通信接続して火災を監視し、前記ループ伝送路で断線が発生した場合は、前記ループ伝送路の終端を前記伝送部に接続することにより前記ループ伝送路の両端から前記火災感知器に通信接続して火災を監視する火災報知設備に於いて、
前記ループ伝送路の途中にブースターが挿入接続され、前記ブースターは、一方から入力された信号を増幅して他方に出力し、ループ伝送路に断線が発生した場合に入出力を切り替えて出力することを特徴とする火災報知設備。
【請求項２】
請求項１記載の火災報知設備に於いて、
前記ブースターは、始端側伝送路から入力した下り信号を増幅して終端側伝送路に出力すると共に終端側伝送路から入力した上り信号を増幅して始端側伝送路に出力し、前記始端側伝送路に断線障害が発生した場合に、入出力を切り替えて前記終端側伝送路から入力した下り信号を増幅して前記始端側伝送路に出力すると共に前記始端側伝送路から入力した上り信号を増幅して前記終端側伝送路に出力する構成を備えたことを特徴とする火災報知設備。
【請求項３】
請求項２記載の火災報知設備に於いて、
前記ブースターは、
入力した前記下り信号を一方向に増幅して出力する下り信号ブースト回路部と、
入力した前記上り信号を一方向に増幅して出力する上り信号ブースト回路部と、
前記下り信号ブースト回路部に前記始端側伝送路を入力接続すると共に前記下り信号ブースト回路部の出力を前記終端側伝送路に接続し、且つ、前記上り信号ブースト回路部に前記終端側伝送路を入力接続すると共に前記上り信号ブースト回路部の出力を前記始端側伝送路に接続する第１切替位置と、前記下り信号ブース回路部に前記終端側伝送路を入力接続すると共に前記上り信号ブースト回路部の出力を前記始端側伝送路に接続し、且つ、前記上り信号ブースト回路部に始端側伝送路を入力接続すると共に前記上り信号ブースト回路部の出力を前記終端側伝送路に接続する第２切替位置とを切替える入出力切替回路部と、
前記始端側伝送路の線路電圧を検出する第１電圧検出部と、
前記終端側伝送路の線路電圧を検出する第２電圧検出部と、
前記第１電圧検出部及び前記第２電圧検出部で所定の線路電圧が検出されている場合は、前記入出力切替回路部を前記第１切替位置に切替え、前記第１電圧検出部で所定の線路電圧が検出されず且つ前記第２電圧検出部で所定の線路電圧が検出されている場合は、前記入出力切替回路部を前記第２切替位置に切り替えるブースター制御部と、
が設けられたことを特徴とする火災報知設備。
【請求項４】
請求項２記載の火災報知設備に於いて、
前記ブースターは、
入力した前記下り信号を一方向に増幅して出力する第１下り信号ブースト回路部と、
入力した前記下り信号を逆方向に増幅して出力する第２下り信号ブースト回路部と、
入力した前記上り信号を一方向に増幅して出力する第１上り信号ブースト回路部と、
入力した前記上り信号を逆方向に増幅して出力する第２上り信号ブースト回路部と、
前記第１下り信号ブースト回路部に前記始端側伝送路を入力接続すると共に前記第１下り信号ブースト回路部の出力を前記終端側伝送路に接続し、且つ、前記第１上り信号ブースト回路部に前記終端側伝送路を入力接続すると共に前記第１上り信号ブースト回路部の出力を前記始端側伝送路に接続する第１切替位置と、前記第２下り信号ブースト回路部に前記終端側伝送路を入力接続すると共に前記第２下り信号ブースト回路部の出力を前記始端側伝送路に接続し、且つ、前記第２上り信号ブースト回路部に前記始端側伝送路を入力接続すると共に前記第２上り信号ブースト回路部の出力を前記終端側伝送路に接続する第２切替位置とを切替える入出力切替回路部と、
前記始端側伝送路の線路電圧を検出する第１電圧検出部と、
前記終端側伝送路の線路電圧を検出する第２電圧検出部と、
前記第１電圧検出部及び前記第２電圧検出部で所定の線路電圧が検出されている場合は、前記入出力切替回路部を前記第１切替位置に切替え、前記第１電圧検出部で所定の線路電圧が検出されず且つ前記第２電圧検出部で所定の電圧が検出されている場合は、前記入出力切替回路部を前記第２切替位置に切り替えて保持するブースター制御部と、
が設けられたことを特徴とする火災報知設備。
【請求項５】
請求項２乃至４の何れかに記載の火災報知設備に於いて、
前記下り信号を線路電圧を変化させる電圧信号とし、前記上り信号を線路電流を変化させる電流信号としたことを特徴とする火災報知設備。
【請求項６】
請求項１記載の火災報知設備に於いて、
前記ブースターは固有のアドレスが設定され、受信機と通信することを特徴とする火災報知設備。
【請求項７】
請求項１記載の火災報知設備に於いて、
前記ブースターは信号の増幅方向を示す表示灯が設けられていることを特徴とする火災報知設備。
【請求項８】
請求項１乃至４の何れかに記載の火災報知設備に於いて、前記ループ伝送路に複数の前記ブースターが挿入接続されたことを特徴とする火災報知設備。
【請求項９】
請求項１記載の火災報知設備に於いて、
前記受信機には、
前記伝送部に前記ループ伝送路の終端を前記伝送部に切替え接続する切替回路部と、
前記ループ伝送路の終端の線路電圧に基づき前記ループ伝送路の断線障害を検出した場合に、前記切替回路部により前記伝送部に前記ループ伝送路の終端を切替え接続して前記断線障害を復旧させる断線監視制御部と、
が設けられたことを特徴とする火災報知設備。
【請求項１０】
受信機に対しループ状に接続されたループ伝送路の途中に挿入接続され、始端側伝送路から入力した下り信号を増幅して終端側伝送路に出力すると共に終端側伝送路から入力した上り信号を増幅して前記始端側伝送路に出力するブースターに於いて、
前記始端側伝送路に断線障害が発生した場合に、入出力を切り替えて前記終端側伝送路から入力した下り信号を増幅して前記始端側伝送路に出力すると共に前記始端側伝送路から入力した上り信号を増幅して前記終端側伝送路に出力する構成を備えたことを特徴とするブースター。
【請求項１１】
請求項１０記載のブースターに於いて、
入力した前記下り信号を一方向に増幅して出力する下り信号ブースト回路部と、
入力した前記上り信号を一方向に増幅して出力する上り信号ブースト回路部と、
前記下り信号ブースト回路部に前記始端側伝送路を入力接続すると共に前記下り信号ブースト回路部の出力を前記終端側伝送路に接続し、且つ、前記上り信号ブースト回路部に前記終端側伝送路を入力接続すると共に前記上り信号ブースト回路部の出力を前記始端側伝送路に接続する第１切替位置と、前記下り信号ブース回路部に前記終端側伝送路を入力接続すると共に前記上り信号ブースト回路部の出力を前記始端側伝送路に接続し、且つ、上り信号ブースト回路部に始端側伝送路を入力接続すると共に前記上り信号ブースト回路部の出力を前記終端側伝送路に接続する第２切替位置とを切替える入出力切替回路部と、
前記始端側伝送路の線路電圧を検出する第１電圧検出部と、
前記終端側伝送路の線路電圧を検出する第２電圧検出部と、
前記第１電圧検出部及び前記第２電圧検出部で所定の線路電圧が検出されている場合は、前記入出力切替回路部を前記第１切替位置に切替え、前記第１電圧検出部で所定の線路電圧が検出されず且つ前記第２電圧検出部で所定の線路電圧が検出されている場合は、前記入出力切替回路部を前記第２切替位置に切り替えるブースター制御部と、
が設けられたことを特徴とするブースター。
【請求項１２】
請求項１０記載のブースターに於いて、
入力した前記下り信号を一方向に増幅して出力する第１下り信号ブースト回路部と、
入力した前記下り信号を逆方向に増幅して出力する第２下り信号ブースト回路部と、
入力した前記上り信号を一方向に増幅して出力する第１上り信号ブースト回路部と、
入力した前記上り信号を逆方向に増幅して出力する第２上り信号ブースト回路部と、
前記第１下り信号ブースト回路部に前記始端側伝送路を入力接続すると共に前記第１下り信号ブースト回路部の出力を前記終端側伝送路に接続し、且つ、前記第１上り信号ブースト回路部に前記終端側伝送路を入力接続すると共に前記第１上り信号ブースト回路部の出力を前記始端側伝送路に接続する第１切替位置と、前記第２下り信号ブースト回路部に前記終端側伝送路を入力接続すると共に前記第２下り信号ブースト回路部の出力を前記始端側伝送路に接続し、且つ、前記第２上り信号ブースト回路部に前記始端側伝送路を入力接続すると共に前記第２上り信号ブースト回路部の出力を前記始端側伝送路に接続する第２切替位置とを切替える入出力切替回路部と、
前記始端側伝送路の線路電圧を検出する第１電圧検出部と、
前記終端側伝送路の線路電圧を検出する第２電圧検出部と、
前記第１電圧検出部及び前記第２電圧検出部で所定の線路電圧が検出されている場合は、前記入出力切替回路部を前記第１切替位置に切替え、前記第１電圧検出部で所定の線路電圧が検出されず且つ前記第２電圧検出部で所定の電圧が検出されている場合は、前記入出力切替回路部を前記第２切替位置に切り替えて保持するブースター制御部と、
が設けられたことを特徴とするブースター。
【請求項１３】
請求項１０乃至１２の何れかに記載のブースターに於いて、
前記下り信号を線路電圧を変化させる電圧信号とし、前記上り信号を線路電流を変化させる電流信号としたことを特徴とするブースター。
【発明の詳細な説明】
【技術分野】
【０００１】
本発明は、受信機からのループ伝送路に火災感知器を接続して火災を監視する火災報知設備及びブースタ―に関する。
【背景技術】
【０００２】
従来、Ｒ型として知られた火災報知設備にあっては、受信機から引き出された伝送路に、伝送機能を備えた火災感知器等の端末装置を接続し、火災検出時には、例えば火災感知器からの火災割込みに基づき、検索コマンドを発行して発報した火災感知器のアドレスを特定し、火災発生アドレスを表示すると共に、特定した火災感知器から火災データを収集して監視するようにしている。
【０００３】
このように、火災を検出した火災感知器のアドレスが分かると、適切な避難誘導や消火活動が可能となり、特に規模の大きな設備の火災監視には不可欠な機能となっている。
【０００４】
また、火災受信機から引き出された伝送路の断線障害に対する信頼性を確保するため、受信機に対しループ状に接続されたループ伝送路に火災感知器を接続して火災を監視する火災報知設備が知られている。
【０００５】
図６は従来のループ伝送路を用いた火災報知設備の説明図であり、図６（Ａ）に通常監視状態を示し、図６（Ｂ）に断線障害が発生した場合を示している。
【０００６】
図６（Ａ）に示すように、受信機１０に設けられた伝送部２２からは一対の信号線を用いた伝送路１２が引き出され、伝送路１２は受信機１０から引き出された後に再び受信機１０に戻るループ状に配置されている。以下、説明では、受信機１０にループ状に接続された伝送路１２を、ループ伝送路１２という。
【０００７】
ループ伝送路１２の信号線間には伝送機能を備えた火災感知器１８が接続されており、火災感知器１８には固有の感知器アドレスが設定されており、伝送部２２から線路電圧を変化させる下り信号を送信し、火災感知器１８からは線路電流を変化させる上り信号を送信することで、火災を監視している。
【０００８】
火災受信機１０に引き込まれたループ伝送路１２の終端には、断線監視制御部２８が設けられ、伝送部２２からループ伝送路１２に供給している線路電圧に基づきループ伝送路１２の断線障害を監視している。また、ループ伝送路１２の終端には、終端の信号線を伝送部２２に切替え接続する切替回路部３０ａ，３０ｂが設けられており、通常監視状態で切替回路部３０ａ，３０ｂは伝送部２２に対し切り離し状態としている。
【０００９】
図６（Ｂ）に示すように、運用中に、ループ伝送路１２の途中で断線３１ａが発生したとすると、断線監視制御部２８はループ伝送路１２の終端の線路電圧が断たれたことにより断線障害を検出して切替回路部３０ａ，３０ｂを作動し、ループ伝送路１２の終端側を伝送部２２に接続する。
【００１０】
このため伝送部２２からの信号は、切替回路部３０ａ，３０ｂを介してループ伝送路１２の終端側から断線３１ａの発生箇所に向けて伝送され、断線３１ａの発生場所とループ伝送路１２の終端の間に接続されている火災感知器１８との間での信号の送受信が可能となり、断線障害が発生しても、ループ伝送路１２に接続された火災感知器１８による火災監視機能が失われることはなく、高い信頼性が得られる。
【先行技術文献】
【特許文献】
【００１１】
【特許文献１】特開２００８−００４０３３号公報
【特許文献２】特開２０１０−１１４６３２号公報
【発明の概要】
【発明が解決しようとする課題】
【００１２】
ところで、受信機からのループ伝送路に接続した火災感知器により火災を監視する場合、警戒区域に引き出しされた伝送路を再び受信機に戻すことから、受信機から警戒区域に向けて引き出している通常の伝送路に比べてループ伝送路は略２倍の長さとなり、ループ伝送路の終端側での線路抵抗も増加する。例えば、伝送部と火災感知器で下り信号と上り信号の受信可能な伝送路抵抗が３０オームであったとすると、ループ伝送路では終端が６０オームとなり、３０オームを超える伝送路範囲に接続している火災感知器との送受信ができなくなる。このためループ伝送路の途中にブースターを設けることが考えられる。
【００１３】
図７は、従来のループ伝送路にブースターが設けられた火災報知設備を示した説明図であり、図７（Ａ）に通常監視状態を示し、図７（Ｂ）に断線障害が発生した場合を示している。
【００１４】
図７（Ａ）に示すように、ブースター１００は例えばループ伝送路１２の半分となる折り返し位置等に挿入接続される。ここで、受信機１０から引き出されたループ伝送路１４の始端とブースター１００との間を始端側伝送路１２ａといい、ブースター１００と受信機１０に戻したループ伝送路１２の終端との間を終端側伝送路１２ｂという。
【００１５】
ブースター１００は始端側伝送路１２ａから入力した下り信号を電圧ブースト回路部１０２で増幅して終端側伝送路１２ｂに出力し、また、終端側伝送路１２ｂから入力した上り信号を電流ブースト回路部１０４により増幅して始端側伝送路１２ａに出力しており、ループ伝送路１２の線路長が増加しても、ループ伝送路１２の終端側に接続した火災感知器１８との間の信号レベルの低下を抑止して伝送部２２と信号送受信を確実に行うことができる。
【００１６】
しかしながら、ループ伝送路１２にブースター１００を設けても、図７（Ｂ）に示すように、例えば、ループ伝送路１２の始点側伝送路１２ａで断線３１ｂが発生して断線監視制御部２８による切替え回路部３０ａ，３０ｂの作動でループ伝送路１２の終端側が伝送部２２に接続された場合、ブースター１００は電圧ブースト回路部１０２と電流ブースト回路部１０４により下り信号と上り信号をそれぞれ一方向にのみ増幅するため、切替え回路部３０ａ，３０ｂを介してループ伝送路１２の終端側から伝送された下り信号はブースター１００を通過することができず、また、ブースター１００と断線３１ｂの発生点の間の火災感知器１８からの上り信号もブースター１００を通過することができず、ブースター１００から断線３１ｂの発生点までの間に接続されている火災感知器１８による火災監視機能が失われてしまう問題がある。
【００１７】
本発明は、ブースターが途中に設けられたループ伝送路で断線障害が発生しても全ての火災感知器による火災監視を可能とする火災報知設備及びブースターを提供することを目的とする。
【課題を解決するための手段】
【００１８】
（火災報知設備）
本発明は、受信機又は受信機に接続された中継器に対しループ状に接続されたループ伝送路に固有のアドレスを設定した火災感知器を接続し、ループ伝送路が正常な場合は、ループ伝送路の始端に接続された受信機の伝送部から火災感知器に通信接続して火災を監視し、ループ伝送路で断線障害が発生した場合は、ループ伝送路の終端を伝送部に接続することによりループ伝送路の両端から火災感知器に通信接続して火災を監視する火災報知設備に於いて、
ループ伝送路の途中にブースターが挿入接続され、ブースターは、一方から入力された信号を増幅して他方に出力し、ループ伝送路に断線が発生した場合に入出力を切り替えて出力することを特徴とする。
【００１９】
（ブースターの構成）
ブースターは、始端側伝送路から入力した下り信号を増幅して終端側伝送路に出力すると共に終端側伝送路から入力した上り信号を増幅して始端側伝送路に出力し、始端側伝送路に断線障害が発生した場合に、入出力を切り替えて終端側伝送路から入力した下り信号を増幅して始端側伝送路に出力すると共に始端側伝送路から入力した上り信号を増幅して終端側伝送路に出力する構成を備える。
【００２０】
（一方向ブースター）
ブースターは、
入力した下り信号を一方向に増幅して出力する下り信号ブースト回路部と、
入力した上り信号を一方向に増幅して出力する上り信号ブースト回路部と、
下り信号ブースト回路部に始端側伝送路を入力接続すると共に下り信号ブースト回路部の出力を終端側伝送路に接続し、且つ、上り信号ブースト回路部に終端側伝送路を入力接続すると共に上り信号ブースト回路部の出力を始端側伝送路に接続する第１切替位置と、下り信号用ブース回路部に終端側伝送路を入力接続すると共に上り信号ブースト回路部の出力を始端側伝送路に接続し、且つ、上り信号ブースト回路部の出力を終端側伝送路に接続する第２切替位置とを切替える入出力切替回路部と、
始端側伝送路の線路電圧を検出する第１電圧検出部と、
前記終端側伝送路の線路電圧を検出する第２電圧検出部と、
第１電圧検出部及び第２電圧検出部で所定の線路電圧が検出されている場合は、入出力切替回路部を第１切替位置に切替え、第１電圧検出部で所定の線路電圧が検出されず且つ第２電圧検出部で所定の線路電圧が検出されている場合は、入出力切替回路部を第２切替位置に切り替えるブースター制御部と、
が設けられる。
【００２１】
（双方向ブースター）
ブースターは、
入力した下り信号を一方向に増幅して出力する第１下り信号ブースト回路部と、
入力した下り信号を逆方向に増幅して出力する第２下り信号ブースト回路部と、
入力した上り信号を一方向に増幅して出力する第１上り信号ブースト回路部と、
入力した上り信号を逆方向に増幅して出力する第２上り信号ブースト回路部と、
第１下り信号ブースト回路部に始端側伝送路を入力接続すると共に第１下り信号ブースト回路部の出力を終端側伝送路に接続し、且つ、第１上り信号ブースト回路部に終端側伝送路を入力接続すると共に第１上り信号ブースト回路部の出力を始端側伝送路に接続する第１切替位置と、第２下り信号ブースト回路部に終端側伝送路を入力接続すると共に第２下り信号ブースト回路部の出力を始端側伝送路に接続し、且つ、第２上り信号ブースト回路部に始端側伝送路を入力接続すると共に第２上り信号ブースト回路部の出力を終端側伝送路に接続する第２切替位置とを切替える入出力切替回路部と、
始端側伝送路の線路電圧を検出する第１電圧検出部と、
終端側伝送路の線路電圧を検出する第２電圧検出部と、
第１電圧検出部及び第２電圧検出部で所定の線路電圧が検出されている場合は、入出力切替回路部を第１切替位置に切替え、第１電圧検出部で所定の線路電圧が検出されず且つ第２電圧検出部で所定の電圧が検出されている場合は、入出力切替回路部を第２切替位置に切り替えるブースター制御部と、
が設けられる。
【００２２】
（電圧下り信号と電流上り信号）
下り信号を線路電圧を変化させる電圧信号とし、上り信号を線路電流を変化させる電流信号とする。
【００２３】
（ブースターの通信機能）
ブースターは固有のアドレスが設定され、受信機と通信する。
【００２４】
（ブースターの表示灯）
ブースターは信号の増幅方向を示す表示灯が設けられている。
【００２５】
（複数ブースター）
ループ伝送路に複数のブースターが挿入接続される。
【００２６】
（受信機の断線監視機能）
受信機には、
伝送部にループ伝送路の終端を伝送部に切替え接続する切替回路部と、
ループ伝送路の終端の線路電圧に基づきループ伝送路の断線障害を検出した場合に、切替回路部により伝送部にループ伝送路の終端を切替え接続して断線障害を復旧させる断線監視制御部と、
が設けられる。
【００２７】
（ブースター）
本発明の他の形態にあっては、受信機に対しループ状に接続されたループ伝送路の途中に挿入接続され、始端側伝送路から入力した下り信号を増幅して終端側伝送路に出力すると共に終端側伝送路から入力した上り信号を増幅して始端側伝送路に出力するブースターに於いて、
始端側伝送路に断線障害が発生した場合に、入出力を切り替えて終端側伝送路から入力した下り信号を増幅して始端側伝送路に出力すると共に始端側伝送路から入力した上り信号を増幅して終端側伝送路に出力する構成を備えたことを特徴とする。
【００２８】
（一方向ブースター）
ブースターは、
入力した下り信号を一方向に増幅して出力する下り信号ブースト回路部と、
入力した上り信号を一方向に増幅して出力する上り信号ブースト回路部と、
下り信号ブースト回路部に始端側伝送路を入力接続すると共に下り信号ブースト回路部の出力を終端側伝送路に接続し、且つ、上り信号ブースト回路部に終端側伝送路を入力接続すると共に上り信号ブースト回路部の出力を始端側伝送路に接続する第１切替位置と、下り信号用ブース回路部に終端側伝送路を入力接続すると共に上り信号ブースト回路部の出力を始端側伝送路に接続し、且つ、上り信号ブースト回路部の出力を終端側伝送路に接続する第２切替位置とを切替える入出力切替回路部と、
始端側伝送路の線路電圧を検出する第１電圧検出部と、
終端側伝送路の線路電圧を検出する第２電圧検出部と、
第１電圧検出部及び第２電圧検出部で所定の線路電圧が検出されている場合は、入出力切替回路部を第１切替位置に切替え、第１電圧検出部で所定の線路電圧が検出されず且つ第２電圧検出部で所定の線路電圧が検出されている場合は、入出力切替回路部を第２切替位置に切り替えるブースター制御部と、
が設けられる。
【００２９】
（双方向ブースター）
ブースターは、
入力した下り信号を一方向に増幅して出力する第１下り信号ブースト回路部と、
入力した下り信号を逆方向に増幅して出力する第２下り信号ブースト回路部と、
入力した上り信号を一方向に増幅して出力する第１上り信号ブースト回路部と、
入力した上り信号を逆方向に増幅して出力する第２上り信号ブースト回路部と、
第１下り信号ブースト回路部に始端側伝送路を入力接続すると共に第１下り信号ブースト回路部の出力を終端側伝送路に接続し、且つ、第１上り信号ブースト回路部に終端側伝送路を入力接続すると共に第１上り信号ブースト回路部の出力を始端側伝送路に接続する第１切替位置と、第２下り信号ブースト回路部に終端側伝送路を入力接続すると共に第２下り信号ブースト回路部の出力を始端側伝送路に接続し、且つ、第２上り信号ブースト回路部に始端側伝送路を入力接続すると共に第２上り信号ブースト回路部の出力を終端側伝送路に接続する第２切替位置とを切替える入出力切替回路部と、
始端側伝送路の線路電圧を検出する第１電圧検出部と、
終端側伝送路の線路電圧を検出する第２電圧検出部と、
第１電圧検出部及び第２電圧検出部で所定の線路電圧が検出されている場合は、入出力切替回路部を第１切替位置に切替え、第１電圧検出部で所定の線路電圧が検出されず且つ第２電圧検出部で所定の電圧が検出されている場合は、入出力切替回路部を第２切替位置に切り替えるブースター制御部と、
が設けられる。
【００３０】
（電圧下り信号と電流上り信号）
ブースターに於いて、下り信号を線路電圧を変化させる電圧信号とし、上り信号を線路電流を変化させる電流信号とする。
【発明の効果】
【００３１】
（基本的な効果）
本発明は、受信機又は受信機に接続された中継器に対しループ状に接続されたループ伝送路に固有のアドレスを設定した火災感知器を接続し、ループ伝送路が正常な場合は、ループ伝送路の始端に接続された受信機の伝送部から火災感知器に通信接続して火災を監視し、ループ伝送路で断線障害が発生した場合は、ループ伝送路の終端を伝送部に接続することによりループ伝送路の両端から火災感知器に通信接続して火災を監視する火災報知設備に於いて、ループ伝送路の途中にブースターが挿入接続され、ブースターは、一方から入力された信号を増幅して他方に出力し、ループ伝送路に断線が発生した場合に入出力を切り替えて出力するようにしたため、ブースターが途中に設けられたループ伝送路で断線障害が発生しても全ての火災感知器による火災監視を継続することができ、高い信頼性が確保される。
【００３２】
（ブースターの構成による効果）
また、ブースターは、始端側伝送路から入力した下り信号を増幅して終端側伝送路に出力すると共に終端側伝送路から入力した上り信号を増幅して始端側伝送路に出力し、始端側伝送路に断線障害が発生した場合に、入出力を切り替えて終端側伝送路から入力した下り信号を増幅して始端側伝送路に出力すると共に始端側伝送路から入力した上り信号を増幅して終端側伝送路に出力する構成を備えたため、ループ伝送路の途中に挿入接続されて一方向に信号を増幅しているブースターの入力側となる始端側伝送路で断線障害が発生してループ伝送路の両端からの受信機の伝送部による信号伝送に切り替わった場合、ブースター自身の判断によりにループ伝送路に対する入出力を切替えて、終端側伝送路から入力した上り信号を増幅して断線障害を起している始端側下り伝送路に出力すると共に始端側伝送路からの上り信号を増幅して終端側伝送路に出力することができ、ループ伝送路に方向性のあるブースターを設けていても、断線障害が発生した場合に、断線障害の発生箇所の両側のループ伝送路に接続されている全ての火災感知器が受信機の伝送部に通信接続されて下り信号と上り信号の送受信により火災監視を継続させることができる。
【００３３】
（一方向ブースターの効果）
また、ブースターは、入力した下り信号を一方向に増幅して出力する下り信号ブースト回路部と、入力した上り信号を一方向に増幅して出力する上り信号ブースト回路部と、下り信号ブースト回路部に始端側伝送路を入力接続すると共に下り信号ブースト回路部の出力を終端側伝送路に接続し、且つ、上り信号ブースト回路部に終端側伝送路を入力接続すると共に上り信号ブースト回路部の出力を始端側伝送路に接続する第１切替位置と、下り信号用ブース回路部に終端側伝送路を入力接続すると共に上り信号ブースト回路部の出力を始端側伝送路に接続し、且つ、上り信号ブースト回路部の出力を終端側伝送路に接続する第２切替位置とを切替える入出力切替回路部と、始端側伝送路の線路電圧を検出する第１電圧検出部と、前記終端側伝送路の線路電圧を検出する第２電圧検出部と、前記第１電圧検出部及び第２電圧検出部で所定の線路電圧が検出されている場合は、入出力切替回路部を第１切替位置に切替え、第１電圧検出部で所定の線路電圧が検出されず且つ第２電圧検出部で所定の線路電圧が検出されている場合は、入出力切替回路部を第２切替位置に切り替えるブースター制御部とが設けられたため、始端側伝送路と終端側伝送路の線路電圧の検出に基づく制御により、ブースター自身で、ループ伝送路が正常な場合又は終端側伝送路に断線障害がある場合は、ループ線路の始端側から終端側に向けて下り信号を増幅すると共に終端側から始端側に向けて上り信号を増幅しているが、始端側伝送路に断線障害が発生すると下り信号と上り信号を逆方向の信号増幅に切り替えることができる。また、入出力の切替え増幅を行うことによって上り信号用と下り信号用のブースト回路はそれぞれ一回路で済み、回路構成を簡単にすることができる。
【００３４】
（双方向ブースターの効果）
また、ブースターは、  入力した下り信号を一方向に増幅して出力する第１下り信号ブースト回路部と、入力した下り信号を逆方向に増幅して出力する第２下り信号ブースト回路部と、入力した上り信号を一方向に増幅して出力する第１上り信号ブースト回路部と、入力した上り信号を逆方向に増幅して出力する第２上り信号ブースト回路部と、第１下り信号ブースト回路部に始端側伝送路を入力接続すると共に第１下り信号ブースト回路部の出力を終端側伝送路に接続し、且つ、第１上り信号ブースト回路部に終端側伝送路を入力接続すると共に第１上り信号ブースト回路部の出力を始端側伝送路に接続する第１切替位置と、第２下り信号ブースト回路部に終端側伝送路を入力接続すると共に第２下り信号ブースト回路部の出力を始端側伝送路に接続し、且つ、第２上り信号ブースト回路部に始端側伝送路を入力接続すると共に第２上り信号ブースト回路部の出力を終端側伝送路に接続する第２切替位置とを切替える入出力切替回路部と、始端側伝送路の線路電圧を検出する第１電圧検出部と、終端側伝送路の線路電圧を検出する第２電圧検出部と、第１電圧検出部及び第２電圧検出部で所定の線路電圧が検出されている場合は、入出力切替回路部を第１切替位置に切替え、第１電圧検出部で所定の線路電圧が検出されず且つ第２電圧検出部で所定の電圧が検出されている場合は、入出力切替回路部を第２切替位置に切り替えるブースター制御部とが設けられたため、始端側伝送路と終端側伝送路の線路電圧の検出に基づく制御により、ブースター自身で、ループ伝送路が正常な場合と終端側伝送路に断線障害がある場合は、ループ線路の始端側から終端側に向けて下り信号を増幅すると共に終端側から始端側に向けて上り信号を増幅しているが、始端側伝送路に断線障害が発生すると、入出力の切替えにより下り信号と上り信号を逆方向の信号増幅に切り替えることができる。
【００３５】
また、増幅方向に応じてブースト回路部を設けたことで、入出力側の伝送路の電気的なパラメータに相違があっても、増幅方向に応じて固有の増幅特性を設定することができる。
【００３６】
（電圧下り信号と電流上り信号の効果）
また、下り信号を線路電圧を変化させる電圧信号とし、上り信号を線路電流を変化させる電流信号としたため、同じループ伝送路を切り替えて送受信する半二重通信において、電圧下り信号と電流上り信号とすることで、信号伝送の信頼性を向上できる。
【００３７】
（ブースターの通信機能による効果）
また、ブースターは固有のアドレスが設定され、受信機と通信するようにしたため、例えば受信機から自身にあてた信号を認識したとき、ステータス情報の返信や信号増幅方向の切替等の信号に対応した動作を行うことができる。
り認識して遠隔監視等ができる。
【００３８】
（ブースターの表示灯による効果）
また、ブースターは信号の増幅方向を示す表示灯が設けられているため、点検時等にブースターの設置場所において信号の増幅方向を簡単に確認することができる。
【００３９】
（複数ブースターの効果）
また、ループ伝送路に複数のブースターが挿入接されるようにしたため、ループ伝送路が長い場合には、２台以上のブースターを挿入接続することになるが、ブースターの台数が増加しても、断線障害の発生によるループ伝送路の両端からの信号伝送に対し、各ブースターが常に障害発生点へ向かう方向を増幅方向とするように入出力を切り替え、断線障害が発生しても、発生箇所の両側のループ伝送路に接続されている全ての火災感知器が直接又はブースターを経由して受信機の伝送部に通信接続されて火災監視を継続させることができ、高い信頼性が確保される。
【００４０】
（受信機の断線監視機能による効果）
また、受信機には、伝送部にループ伝送路の終端を伝送部に切替え接続する切替回路部と、ループ伝送路の終端の線路電圧に基づきループ伝送路の断線障害を検出した場合に、切替回路部により伝送部にループ伝送路の終端を切替え接続して断線障害を復旧させる断線監視制御部とが設けられたため、ループ伝送路の断線障害を線路電圧の喪失から判別してループ伝送路の終端を伝送部に切替え接続し、ループ伝送路の両端から信号伝送を行うことで断線障害による火災監視機能の喪失を防止できる。
【００４１】
（ブースターの効果）
本発明の他の形態となるブースターの効果は、前述した防災監視設備におけるブースータと同じ効果が得られることから、その説明は省略する。
【図面の簡単な説明】
【００４２】
【図１】ループ伝送路に入出力切替型ブースターが設けられた火災報知設備の概要を示した説明図
【図２】入出力切替型ブースターの実施形態を示したブロック図
【図３】始端側伝送路で断線障害が発生した場合の入出力切替型ブースターの動作を示したブロック図
【図４】通常監視状態と終端側伝送路で断線障害が発生した場合の入出力切替型ブースターの動作を示したブロック図
【図５】入出力切替型ブースターの他の実施形態を示したブロック図
【図６】従来のループ伝送路を設けた火災報知設備を示した説明図
【図７】従来のループ伝送路にブースターが設けられた火災報知設備を示した説明図
【発明を実施するための形態】
【００４３】
［火災報知設備］
（火災報知設備の概要）
図１はループ伝送路に入出力切替型ブースターが設けられた火災報知設備の概要を示した説明図である。図１に示すように、火災報知設備が設置された建物の一階の管理人室などには例えばＲ型の受信機１０が設置され、受信機１０から警戒区域に対し一対の信号線１４ａ，１４ｂを用いたループ伝送路１２が引き出されている。
【００４４】
ループ伝送路１２には固有のアドレスが設定された伝送機能を有する火災感知器１８が複数台接続されている。ループ伝送路１２の中間位置には入出力切替型ブースター１６が挿入接続されている。
【００４５】
ここで、ループ伝送路１２に接続される火災感知器１８を含む端末に設定される最大アドレス数は例えば２５５としており、入出力切替型ブースター１６も伝送機能を備えることから、ループ伝送路１２には最大２５４台の火災感知器１８が接続できる。
【００４６】
（受信機の機能構成）
受信機１０は、受信制御部２０、伝送部２２、操作部２３、表示部２４、警報部２５、移報部２６、断線監視制御部２８及び切替回路部３０ａ，３０ｂを備える。
【００４７】
受信制御部２０はＣＰＵ、メモリ、各種の入出力ポート等を備えたコンピュータ回路等とする。伝送部２２は、ループ伝送路１２に接続した火災感知器１８との間で、所定の通信プロトコルに従って信号を送受信する。
【００４８】
伝送部２２から火災感知器１８に対する下り信号は電圧モードで伝送している。この電圧モードの信号は、ループ伝送路１２の線路電圧を例えば１８ボルトと３０ボルトの間で変化させる電圧パルスとして伝送される。
【００４９】
これに対し火災感知器１８から受信機１０に対する上り信号は電流モードで伝送される。この電流モードにあっては、ループ伝送路１２に伝送データのビット１のタイミングで信号電流を流し、いわゆる電流パルス列として上り信号が受信機に伝送される。
【００５０】
受信機１０の受信制御部２０による監視制御は次のようになる。受信制御部２０は通常の監視中にあっては、一定周期毎に、伝送部２２に指示して、一括ＡＤ変換コマンドを含むブロードキャストの一括ＡＤ変換信号を送信しており、この一括ＡＤ変換信号を受信した火災感知器１８は、煙濃度又は温度をセンサデータとして検出して保持する。続いて、受信制御部２０は、端末アドレスを順次指定したポーリングコマンドを含む呼出信号を送信している。
【００５１】
火災感知器１８は自己アドレスに一致するアドレスを持つ呼出信号を受信すると、そのとき保持しているセンサデータを含む応答信号を受信機１０に送信する。火災感知器１８は火災を検出すると受信機１０に対し火災割込み信号を送信する。受信制御部２０は伝送部２２を介して火災割込み信号を受信するとグループ検索コマンド信号を送信して火災を検出している火災感知器１８を含むグループを特定し、続いて、グループ内検索コマンド信号を送信して火災を検出している火災感知器１８のアドレスを特定し、火災発生アドレスを表示すると共に、特定した火災感知器から火災データを収集して監視するようにしている。
【００５２】
断線監視制御部２８はループ伝送路１２の終端で得られる信号電圧を検出して監視しており、ループ伝送路１２に断線が発生すると信号電圧が断たれて検出できなくなることで断線を検出し、リレー接点やスイッチ素子を用いた切替回路部３０ａ，３０ｂをオン作動することで、ループ伝送路１２の終端に伝送部２２を接続し、ループ伝送路１２の両端から断線位置までの間の伝送路に対し並列的に信号の送受信を行うことで、断線障害をリカバリーする。
【００５３】
入出力切替型ブースター１６は、通常監視状態では、始端側伝送路１２ａから入力した下り信号（電圧パルス信号）を電圧増幅して終端側伝送路１２ｂに出力すると共に、終端側伝送路１２ｂから入力した上り信号（電流パルス信号）を電流増幅して始端側伝送路１２ａに出力しており、始端側伝送路１２ａに断線障害が発生した場合に、断線監視制御部２８により切替回路部３０ａ，３０ｂの作動によりループ伝送路１２の終端が伝送部２２に接続されたことを条件に、終端側伝送路１２ｂから入力した下り信号（電圧パルス信号）を電圧増幅して始端側伝送路１２ａに出力すると共に、始端側伝送路１２ａ側から入力した上り信号（電流パルス信号）を電流増幅して終端側伝送路１２ｂに出力するように入出力を切替える構成を備える。
【００５４】
入出力切替型ブースター１６は商用電源の給電により動作し、さらに通常時に給電され停電時に動作電源として機能する非常用のバッテリを備える。
【００５５】
入出力切替型ブースター１６は商用電源の給電により動作し、給電状態や信号増幅方向を等のステータス情報を表示する表示灯を備える。
【００５６】
入出力切替型ブースター１６は固有のアドレスを備え、受信機から自身にあてた信号を認識したとき、ステータス情報の返信・信号増幅方向の切替等の信号に対応した動作を行う。
【００５７】
入出力切替型ブースター１６は短絡保護用の回路を備える。
【００５８】
［入出力切替型ブースター］
図２は入出力切替型ブースターの実施形態を示したブロック図である。図２に示すように、入出力切替型ブースター１６は、下り信号ブースト回路部（電圧ブースト回路部）３２、上り信号ブースト回路部（電流ブースト回路部）４６、ブースター制御部３４、伝送部３６、第１電圧検出部３８、第２電圧検出部４０、下り信号入出力切替回路部４２，４４、及び上り信号入出力切替回路部４８，５０で構成される。なお、下り信号ブースト回路部３２は電圧ブースト回路部として機能し、上り信号ブースト回路部４６は電流ブースト回路部として機能する。
【００５９】
電圧ブースト回路部３２は、入力した下り信号である電圧パルス信号を一方向に電圧増幅して出力する回路部であり、電圧増幅器と波形整形回路を備える。
【００６０】
電流ブースト回路部４６は、入力した上り信号である電流パルス信号を一方向に電流増幅して出力する回路部であり、電流増幅器と波形整形回路を備える。
【００６１】
下り信号入出力切替回路部４２，４４は、切替えリレー接点又はＦＥＴなどのスイッチ素子で構成される。下り信号入出力切替回路部４２は電圧ブースト回路部３２の入力側に設けられ、切替端子ａに始端側伝送路１２ａのプラス側が接続され、切替端子ｂに終端側伝送路１２ｂのプラス側が接続され、コモン端子ｃは電圧ブースト回路部３２の入力に接続される。
【００６２】
下り信号入出力切替回路部４４は電圧ブースト回路部３２の出力側に設けられ、切替端子ａに終端側伝送路１２ｂのプラス側が接続され、切替端子ｂに始端側伝送路１２ａのプラス側が接続され、コモン端子ｃは電圧ブースト回路部３２の出力に接続される。
【００６３】
下り信号入出力切替回路部４２，４４は、切替端子ａ側が第１切替位置となり、切替端子ｂ側が第２切替位置となる。このため下り信号入出力切替回路部４２，４４が図示の切替端子ａとなる第１切替位置の場合、下り信号ブースト回路部３２に始端側伝送路１２ａを入力接続すると共に下り信号ブースト回路部３２の出力を終端側伝送路１２ｂに接続し、また、切替端子ｂとなる第２切替位置の場合、下り信号ブースト回路部３２に終端側伝送路１２ｂを入力接続すると共に下り信号ブースト回路部３２の出力を始端側伝送路１２ａに接続することになる。
【００６４】
上り信号入出力切替回路部４８，５０は、切替えリレー接点又はＦＥＴなどのスイッチ素子で構成される。上り信号入出力切替回路部４８は上り信号ブースト回路部４６の入力側に設けられ、切替端子ａに終端側伝送路１２ｂのプラス側が接続され、切替端子ｂに始端側伝送路１２ａのプラス側が接続され、コモン端子ｃは上り信号ブースト回路部４６の入力に接続される。
【００６５】
上り信号入出力切替回路部５０は上り信号ブースト回路部４６の出力側に設けられ、切替端子ａに始端側伝送路１２ａのプラス側が接続され、切替端子ｂに終端側伝送路１２ｂのプラス側が接続され、コモン端子ｃは上り信号ブースト回路部４６の出力に接続される。
【００６６】
上り信号入出力切替回路部４８，５０は、切替端子ａ側が第１切替位置となり、切替端子ｂが第２切替位置となる。このため上り信号入出力切替回路部４８，５０が図示の切替端子ａとなる第１切替位置の場合、上り信号ブースト回路部４６に終端側伝送路１２ｂを入力接続すると共に上り信号ブースト回路部４６の出力を始端側伝送路１２ａに接続し、また、切替端子ｂとなる第２切替位置の場合、上り信号ブースト回路部４６に始端側伝送路１２ａを入力接続すると共に上り信号ブースト回路部４６の出力を終端側伝送路１２ｂに接続することになる。
【００６７】
第１電圧検出部３８は、始端側伝送路１２ａの線路電圧を検出してブースター制御部３４に出力する。第２電圧検出部４０は、終端側伝送路１２ｂの線路電圧を検出してブースター制御部３４に出力する。
【００６８】
ブースター制御部３４は、ＣＰＵ、メモリ、及び各種の入出力ポートを備えたコンピュータ回路で構成され、ＣＰＵによるプログラムの実行により入出力切替制御を行う。ブースター制御部３４による入出力切替制御は、第１電圧検出部３８及び第２電圧検出部４０で所定の線路電圧が検出されている場合（ループ伝送路１２が正常又は終端側伝送路１２ｂが断線している場合）、下り信号入出力切替回路部４２，４４及び上り信号入出力切替回路部４８，５０を図示の切替端子ａ側の第１切替位置に切替え、始端側伝送路１２ａから入力した下り信号を下り信号ブースト回路部３２で電圧増幅して終端側伝送路１２ｂに向けて出力させると共に、終端側伝送路１２ｂから入力した上り信号を上り信号ブースト回路部４６で電流増幅して始端側伝送路１２ａに向けて出力させる。
【００６９】
また、ブースター制御部３４による入出力切替制御は、始端側伝送路１２ａの断線により第１電圧検出部４２で所定の線路電圧が検出されず、且つ、断線監視制御部２８により切替回路部３０ａ，３０ｂの作動によりループ伝送路１２の終端が伝送部２２に接続されたことにより、第２電圧検出部４０で所定の線路電圧が検出されている場合は、入出力切替回路部４２，４４及び上り信号入出力切替回路部４８，５０を切替端子ｂ側の第２切替位置に切り替え、終端側伝送路１２ｂから入力した下り信号を電圧増幅して始端側伝送路１２ａに向けて出力させると共に、始端側伝送路１２ａから入力した上り信号を電流増幅して終端側伝送路１２ｂに向けて出力させる。
【００７０】
［ループ線路が断線した場合の動作］
（始端側伝送路の断線）
図３は始端側伝送路で断線障害が発生した場合の入出力切替型ブースターの動作を示したブロック図であり、図２に示したブースター制御部３４、伝送部３６、第１電圧検出部３８及び第２電圧検出部４０は省略している。
【００７１】
ループ伝送路１２に断線のない通常監視状態にあっては、図２に示したように、下り信号入出力切替回路部４２，４４及び上り信号入出力切替回路部４８，５０は図示の切替端子ａ側となる第１切替位置に切り替わっており、始端側伝送路１２ａから入力した下り信号を下り信号ブースト回路部３２で電圧増幅して終端側伝送路１２ｂに向けて出力させ、また、終端側伝送路１２ｂから入力した上り信号を上り信号ブースト回路部４６で電流増幅して始端側伝送路１２ａに向けて出力するようにしている。
【００７２】
この状態で図３に示すように、始端側伝送路１２ａで断線５２が発生したとすると、図１に示した受信機１０の断線監視制御部２８が断線５２によりループ伝送路１２の終端での線路電圧が断たれたことを検出して切替回路部３０ａ，３０ｂをオンし、伝送部２２をループ伝送路１２の終端に接続する。このため図３の断線５２の発生箇所に対し、伝送部２２から出力された下り信号がループ伝送路１２の始端と終端の両側から伝送された状態となる。
【００７３】
このとき入出力切替型ブースター１６の第１電圧検出部３８は断線５２により所定の線路電圧が検出されなくなり、第２電圧検出部４０はループ伝送路１２の終端が伝送部２２に接続されたことで所定の線路電圧が検出されることとなり、その結果、図３に示すように、ブースター制御部３４は、下り信号入出力切替回路部４２，４４及び上り信号入出力切替部４８，５０を切替端子ｂ側となる第２切替位置に切り替え、終端側伝送路１２ｂから入力した下り信号を下り信号ブースト回路部３２で電圧増幅して断線５２が発生している始端側伝送路１２ａに向けて出力させ、また、断線５２が発生している始端伝送路１２ａから入力した上り号を上り信号ブースト回路部４６で電流増幅して終端側伝送路１２ｂに向けて出力させる。
【００７４】
このためループ伝送路１２の始端側伝送路１２ａに断線５２が発生しても、ループ伝送路１２に接続している全ての火災感知器１８と受信機１０の伝送部２２との間で下り信号と上り信号の送受信が可能となり、火災感知器１８による火災監視機能が失われることがない。
【００７５】
なお、断線５２はループ伝送路１２に用いている信号ケーブルの断線であり、図３にあってはプラス側の信号線の断線５２として示しているが、一般的に発生するプラス側とマイナス側の両方の信号線が断線した場合でも上記効果を生じることができる。
【００７６】
（終端側伝送路の断線）
図４は通常監視状態と終端側伝送路で断線障害が発生した場合の入出力切替型ブースターの動作を示したブロック図であり、図２に示したブースター制御部３４、伝送部３６、第１電圧検出部３８及び第２電圧検出部４０は省略している。
【００７７】
図４に示すように、下り信号入出力切替回路部４２，４４及び上り信号入出力切替回路部４８，５０が切替端子ａ側となる第１切替位置に切り替わっている通常監視状態で、終端側伝送路１２ｂで断線５４が発生したとすると、図１に示した受信機１０の断線監視制御部２８が断線５２によりループ伝送路１２の終端での線路電圧が断たれたことを検出して切替回路部３０ａ，３０ｂをオンし、伝送部２２をループ伝送路１２の終端に接続する。このため図３の断線５４の発生箇所に対し、伝送部２２から出力された下り信号がループ伝送路１２の始端と終端の両側から伝送される状態となる。
【００７８】
このとき入出力切替型ブースター１６の第１電圧検出部３８は終端側伝送路１２ｂの断線５４に影響されることなく所定の線路電圧が検出されており、第２電圧検出部４０は
ブースターから下り方向に信号出力していることから電圧印加されているため開放端が切替回路部３０ａから断線箇所に変わっただけであり、所定の線路電圧が検出されることとなり、これはループ伝送路１２に断線のない正常な状態と同じであり、このためブースター制御部３４は、下り信号入出力切替回路部４２，４４及び上り信号入出力切替回路部４８，５０の切替端子ａ側となる第１切替位置の切替えを維持することになる。
【００７９】
即ち、終端側伝送路１２ｂの断線５４に対しては受信機１０の断線監視制御部２８による切替回路部３０ａ，３０ｂのオンでループ伝送路１２の終端に伝送部２２を接続する制御のみによりリカバリーすることができる。
【００８０】
［入出力切替型ブースターの他の実施形態］
図５は入出力切替型ブースターの他の実施形態を示したブロック図である。図５に示すように、本実施形態の入出力切替型ブースター１６は、始端側伝送路１２ａから入力した下り信号を一方向に電圧増幅して終端側伝送路１２ｂに出力する第１下り信号ブースト回路部３２ａと、終端側伝送路１２ｂから入力した下り信号を逆方向に電圧増幅して始端側伝送路１２ａに出力する第２下り信号ブースト回路部３２ｂを設け、また、終端側伝送路１２ｂから入力した上り信号を一方向に電流増幅して始端側伝送路１２ａに出力する第１上り信号ブースト回路部４６ａと、始端側伝送路１２ａから入力した上り信号を逆方向に電流増幅して終端側伝送路１２ｂに出力する第２上り信号ブースト回路部４６ｂを設けたことを特徴とする。
【００８１】
第１下り信号ブースト回路３２ａと第２下り信号ブースト回路３２ｂに対しては下り信号入出力切替回路部４２，４４が設けられ、第１上り信号ブースト回路４６ａと第２上り信号ブースト回路４６ｂに対しては上り信号入出力切替回路部４８，５０が設けられる。
【００８２】
ループ伝送路１２に断線がない場合又は終端側伝送路１２ｂに断線が発生した場合は、第１電圧検出部３８及び第２電圧検出部４０による所定の線路電圧の検出に基づきブースター制御部３４が下り信号入出力切替回路部４２，４４及び上り信号入出力切替回路部４８，５０を切替端子ａ側となる第１切替位置に切替え、第１下り信号ブースト回路部３２ａをループ伝送路１２に挿入接続して始端側伝送路１２ａから入力した下り信号を電圧増幅して終端側伝送路１２ｂに出力し、また、第１上り信号ブースト回路部４６ａをループ伝送路１２に挿入接続して終端側伝送路１２ｂから入力した上り信号を電流増幅して始端側伝送路１２ａに出力する。
【００８３】
一方、始端側伝送路１２ａに断線が発生した場合は、第１電圧検出部３８により所定の線路電圧が検出されなくなり、第２電圧検出部４０により所定の線路電圧が検出され、これに基づき、ブースター制御部３４が下り信号入出力切替回路部４２，４４及び上り信号入出力切替回路部４８，５０を切替端子ｂ側となる第２切替位置に切替え、第２下り信号ブースト回路部３２ｂをループ伝送路１２に挿入接続し、終端側伝送路１２ｂから入力した下り信号を電圧増幅して始端側伝送路１２ａに出力し、また、第２上り信号ブースト回路部４６ｂをループ伝送路１２に挿入接続して始端側伝送路１２ａから入力した上り信号を電流増幅して終端側伝送路１２ｂに出力する。
【００８４】
それ以外の構成及び機能は図２の実施形態と同じになることから同一符号を付して説明は省略する。
【００８５】
このようにループ伝送路１２の伝送方向に応じて専用の第１下り信号ブースト回路３２ａと第２下り信号ブースト回路３２ｂ及び第１上り信号ブースト回路４６ａと第２上り信号ブースト回路４６ｂを設けたことで、ループ伝送路１２の中間点に入出力切替型ブースター１６が設けられず、始端側伝送路１２ａと終端側伝送路１２ｂの抵抗を含む電気的特性が相違していても、出力側の伝送路の電気的特性に適合した増幅率を個別に設定して最適な信号の増幅伝送を可能とする。増幅率の設定手段は、公知の可変抵抗を用いて行うようにしても良い。
【００８６】
［本発明の変形例］
上記の実施形態は、断線障害を例にとっているが例えば回路の短絡部を切り離すショートサーキットアイソレータの動作のようにシステムが意図的に断線させた場合であっても、ブースターは断線とみなして動作する。
【００８７】
上記の実施形態は、受信機からループ配線が引き出されているが、受信機と接続する中継器から引き出されるループ配線に対し感知器とブースターを接続するようにしても良い。
【００８８】
上記の実施形態は、上り信号と下り信号を同時に増幅可能なものとしているが、断線時に信号の増幅方向を切り替えるものであれば片方向のみの増幅するものであっても良い。例えば、電圧信号と電流信号がともに下り信号である火報システムの場合、通常時は下り信号を増幅し、断線時は増幅方向を変更する。
【００８９】
上記の実施形態に加え、入出力切替型ブースター１６は入出力を絶縁するものであって良い。例えば、入力端子及び電圧検出部３８に対して増幅部をフォトカプラ等で絶縁すると共に、出力端子及び電圧検出部４０と増幅部をフォトカプラ等で絶縁させる。入出力端子を絶縁させることで、ＧＮＤ線のみが断線した場合に発生するブースターの信号出力と受信機側の信号出力が衝突することを防ぐことが可能となる。
【００９０】
上記の実施形態に加え、火報システムは自動試験機能を有するものであっても良い。例えば、伝送部２２の出力について始端側のみ出力停止させ、切替回路部３０ａ，３０ｂをオンとしたとき入出力切替型ブースター１６の信号増幅方向が反転することを確認する。また、受信機から入出力切替型ブースター１６に対して信号を送信し増幅方向を切り替えるようにしても良い。
【００９１】
上記の実施形態は、Ｒ型の受信機からのループ伝送路を介してＲ型の火災感知器を接続した火災報知設備を例にとっているが、Ｐ型の受信機から引き出したループ型の感知器回線にアドレスを設定すると共に伝送機能を備えたアドレッサブル火災感知器を接続した火災報知設備についても同様に適用できる。
【００９２】
また本発明はその目的と利点を損なうことのない適宜の変形を含み、更に上記の実施形態に示した数値による限定は受けない。
【符号の説明】
【００９３】
１０：受信機
１２：ループ伝送路
１２ａ：始端側伝送路
１２ｂ：終端側伝送路
１４ａ，１４ｂ：信号線
１６：入出力切替型ブースター
１８：火災感知器
２０：受信制御部
２２，３６：伝送部
２８：断線監視制御部
３０ａ，３０ｂ：切替回路部
３２：下り信号ブースト回路部
３２ａ：第１下り信号ブースト回路部
３２ｂ：第２下り信号ブースト回路部
３４：ブースター制御部
３８：第１電圧検出部
４０：第２電圧検出部
４２，４４：下り信号入出力切替回路部
４６：上り信号ブースト回路部
４６ａ：第１上り信号ブースト回路部
４６ｂ：第２上り信号ブースト回路部
４８，５０：上り信号入出力切替回路部
【図１】
2019106023.tif 000003
【図２】
2019106023.tif 000004
【図３】
2019106023.tif 000005
【図４】
2019106023.tif 000006
【図５】
2019106023.tif 000007
【図６】
2019106023.tif 000008
【図７】
2019106023.tif 000009